(57)【要約】【課題】表現の自由度を向上させた高度なスクリーンセーバー型情報表示方法および背景画像表示方法を新たに提供する。【解決手段】表示指定される画像情報を複数の画像要素で構成するとともに任意の制御要素を設け、前記制御要素をプログラムが定期的に自動検出して、前記制御要素の値が変化した場合に前記プログラムが利用者端末に表示する画素要素を切り替えることで、自由度の高い多彩な表現が行えるスクリーンセーバー型情報表示方法および背景画像表示方法を提供する。【選択図】図１
2005331895.tif 000002
【特許請求の範囲】
【請求項１】
利用者端末の記憶装置に記憶されるスクリーンセーバー機能設定情報により表示指定される画像情報を複数の画像要素で構成するとともに、利用者端末の記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現を行うことを特徴とするスクリーンセーバー型情報表示方法。
【請求項２】
複数の利用者端末と複数のサーバーをネットワークで接続したシステムにおいて、利用者端末の記憶装置に記憶されるスクリーンセーバー機能設定情報により表示指定される画像情報を複数の画像要素で構成するとともに、任意のサーバーの記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現を行うことを特徴とするスクリーンセーバー型情報表示方法。
【請求項３】
利用者端末の記憶装置に記憶されるスクリーンセーバー機能設定情報により表示指定される画像情報を複数の画像要素で構成するとともに、利用者端末上での利用者の操作停滞時間をプログラムが定期的に自動検出し、検出した前記操作停滞時間を制御要素として前記プログラムが利用者端末に表示する画像要素を切り替えることで、自由度の高い多彩な表現を行うことを特徴とするスクリーンセーバー型情報表示方法。
【請求項４】
利用者端末の記憶装置に記憶される背景画像表示設定情報により表示指定される画像情報を複数の画像要素で構成するとともに、利用者端末の記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現を行うことを特徴とする背景画像（壁紙画像）表示方法。
【請求項５】
複数の利用者端末と複数のサーバーをネットワークで接続したシステムにおいて、利用者端末の記憶装置に記憶される背景画像表示設定情報により表示指定される画像情報を複数の画像要素で構成するとともに、任意のサーバーの記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現を行うことを特徴とする背景画像（壁紙画像）表示方法。
【発明の詳細な説明】
【技術分野】
【０００１】本発明は、パソコンなどの利用者端末において表示されるスクリーンセーバー型情報表示方法および背景画像（壁紙画像）の表示方法に関する。
【背景技術】
【０００２】パソコンなどの利用者端末におけるスクリーンセーバー型情報表示方法および背景画像表示方法は、利用者が設定できるスクリーンセーバー機能設定情報および背景画像表示設定情報によって指定された画像情報を単に表示するものである。
【発明の開示】
【発明が解決しようとする課題】
【０００３】しかしながら、予め指定されたスクリーンセーバー型情報および背景画像を表示するだけでは表現の自由度が低く、例えば表示内容に利用者参加型のストーリー性を持たせるといった高度な表現が困難であった。【０００４】本発明の目的は、利用者が設定できるスクリーンセーバー機能設定情報および背景画像表示設定情報以外に別の制御要素を設けることにより、表現の自由度を向上させ、高度なスクリーンセーバー型情報表示および背景画像表示を実現することにある。
【課題を解決するための手段】
【０００５】かかる課題を解決するために、利用者端末の記憶装置に記憶されるスクリーンセーバー機能設定情報により表示指定される画像情報を複数の画像要素で構成するとともに、利用者端末の記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現が行えるスクリーンセーバー型情報表示方法を提供することを特徴とする。【０００６】また、請求項２の発明では、複数の利用者端末と複数のサーバーをネットワークで接続したシステムにおいて、利用者端末の記憶装置に記憶されるスクリーンセーバー機能設定情報により表示指定される画像情報を複数の画像要素で構成するとともに、任意のサーバーの記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現が行えるスクリーンセーバー型情報表示方法を提供することを特徴とする。【０００７】また、請求項３の発明では、利用者端末の記憶装置に記憶されるスクリーンセーバー機能設定情報により表示指定される画像情報を複数の画像要素で構成するとともに、利用者端末上での利用者の操作停滞時間をプログラムが定期的に自動検出し、検出した前記操作停滞時間を制御要素として前記プログラムが利用者端末に表示する画像要素を切り替えることで、自由度の高い多彩な表現が行えるスクリーンセーバー型情報表示方法を提供することを特徴とする。【０００８】また、請求項４の発明では、利用者端末の記憶装置に記憶される背景画像表示設定情報により表示指定される画像情報を複数の画像要素で構成するとともに、利用者端末の記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現が行える背景画像（壁紙画像）表示方法を提供することを特徴とする。【０００９】また、請求項５の発明では、複数の利用者端末と複数のサーバーをネットワークで接続したシステムにおいて、利用者端末の記憶装置に記憶される背景画像表示設定情報により表示指定される画像情報を複数の画像要素で構成するとともに、任意のサーバーの記憶装置に記憶される情報のうちオペレーティグシステムおよびアプリケーションソフトウエアが管理する任意の情報を制御要素とし、前記制御要素をプログラムが定期的に自動検出して、前記制御要素の値が変化した場合に前記プログラムが利用者端末に表示する画像要素を切り替えることで、自由度の高い多彩な表現が行える背景画像（壁紙画像）表示方法を提供することを特徴とする。
【発明の効果】
【００１０】以上説明したように本発明によれば、自由度の高い高度なスクリーンセーバー型情報表示および背景画像表示を実現することができる。
【発明を実施するための最良の形態】
【００１１】以下、本発明のスクリーンセーバー実行方法および背景画像表示方法を実施するための最良の形態について説明する。
【実施例】
【００１２】図１は請求項１および請求項４の発明の一実施形態を示す利用者端末１０のシステム構成図である。図１において記憶装置１５には背景画像表示設定情報１５１、スクリーンセーバー機能設定情報１５２、オペーレーティグシステムの管理情報およびアプリケーションソフトウエアの管理情報を対象とした任意の記憶情報１５３、表示対象となる画像情報１５４が記憶されている。背景画像表示設定情報１５１とスクリーンセーバー機能設定情報１５２は、入力装置１３により利用者が設定した情報を入出力制御部１２および主制御部１１を介して書き換えることが可能であり、背景画像表示設定情報１５１とスクリーンセーバー機能設定情報１５２により表示対象となる画像情報１５４が指定される。表示対処となる画像情報１５４は画像要素１から画像要素Ｎの複数の画像要素で構成される。【００１３】最初に主制御部１１は入出力制御部１２を介して画像要素１を表示装置１４に表示させるとともに、任意の記憶情報１５３のうち制御処理の対象となる制御要素１５３ａを読み出し、制御要素格納領域１５５に書き込む。以降主制御部１１は定期的に制御要素１５３ａを読み出し、制御要素格納領域１５５に書き込まれた情報と比較する。前記比較の結果、制御要素１５３ａの情報と制御要素格納領域１５５に書き込まれた情報が異なる場合は、制御要素１５３ａの情報を制御要素格納領域１５５に書き込むとともに、制御要素１５３ａの情報に対応する画像要素１以外の画像要素を入出力制御部１２を介して表示装置１４に表示させる。【００１４】図２は請求項２および請求項５の発明の一実施形態を示すシステム構成図である。利用者端末１０とサーバー２０は、利用者端末側通信装置１６とサーバー側通信装置２６によりネットワーク接続される。またサーバー側の記憶装置２５にはサーバーで実行されるオペーレーティグシステムの管理情報およびアプリケーションソフトウエアの管理情報を対象とした任意の記憶情報２５３が記憶されている。【００１５】最初に利用者端末側主制御部１１は入出力制御部１２を介して画像要素１を表示装置１４に表示させるとともに、サーバー側の任意の記憶情報２５３のうち制御処理の対象となる制御要素２５３ａをネットワーク経由で読み出し、制御要素格納領域１５５に書き込む。以降利用者端末側主制御部１１は定期的にサーバー側の制御要素２５３ａを読み出し、制御要素格納領域１５５に書き込まれた情報と比較する。前記比較の結果、制御要素２５３ａの情報と制御要素格納領域１５５に書き込まれた情報が異なる場合は、制御要素２５３ａの情報を制御要素格納領域１５５に書き込むとともに、制御要素２５３ａの情報に対応する画像要素１以外の画像要素を入出力制御部１２を介して表示装置１４に表示させる。【００１６】図３は請求項３の発明の一実施形態を示す利用者端末１０のシステム構成図である。タイマカウンタ１７は主制御部１１により制御が可能な時間計数装置であり、主制御部１１はタイマカウンタ１７の時間計数値を読み出すことができるものとする。【００１７】利用者端末１０において利用者の操作が停滞し、操作停滞時間がスクリーンセーバー機能設定情報１５２に定義されている時間になると、主制御部１１はスクリーンセーバー機能の実行を開始し、入出力制御部１２を介して画像要素１を表示装置１４に表示させるとともに、タイマカウンタ１７に対して時間計数処理を開始させる。以降主制御部１１は定期的にタイマカウンタ１７の時間計数値を読み出し、前記時間計数値に対応する画像要素１以外の画像要素を入出力制御部１２を介して表示装置１４に表示させる。
【図面の簡単な説明】
【００１８】
【図１】請求項１および請求項４の発明の一実施例である利用者端末のシステム構成を示したものである。
【図２】請求項２および請求項５の発明の一実施形態であるシステム構成を示したものである。
【図３】請求項３の発明の一実施形態である利用者端末のシステム構成を示したものである。
【符号の説明】
【００１９】１０  利用者端末
１１  利用者端末の主制御部
１２  利用者端末の入出力制御部
１３  利用者端末の入力装置
１４  利用者端末の表示装置
１５  利用者端末の記憶装置
１５１  背景画像表示設定情報
１５２  スクリーンセーバー機能設定情報
１５３  利用者端末における任意の記憶情報
１５３ａ  利用者端末における制御要素
１５４  表示対象となる画像情報
１６  利用者端末の通信装置
１７  タイマカウンタ
２０  サーバー
２１  サーバーの主制御部
２２  サーバーの入出力制御部
２５  サーバーの記憶装置
２５３  サーバーにおける任意の記憶情報
２５３ａ  サーバーにおける制御要素
【図１】
2005331895.tif 000003
【図２】
2005331895.tif 000004
【図３】
2005331895.tif 000005